(57)【要約】【課題】ねじ込まれた雄ねじが視認できない場合において、雄ねじの位置の容易な確認を実現し、また、位置が確認された雄ねじの容易な取り外しを実現する。【解決手段】雄ねじ探知具１は、雄ねじの締め付けおよび緩めを行う電動ドライバー２に設けられ、ドライバー２のビット３にその軸方向へ沿って移動可能に設けられる磁石４と、磁石４をビット３の先端方向へ付勢するコイルバネ５と、ビット３に設けられるスペーサ６とを備える。ビット３には、基端側から順に、スペーサ６、コイルバネ５および磁石４が配置される。コイルバネ５により磁石４がビット３の先端よりも先端側へ突出するよう付勢されており、この付勢力に対抗してビット３に対して磁石４を移動させて、ビット３の先端が磁石４よりも先端側へ突出可能とされる。【選択図】図１
2018015822.tif 000002
【特許請求の範囲】
【請求項１】
雄ねじの締め付けおよび緩めを行うドライバーに設けられる雄ねじ探知具であって、
前記ドライバーのビットにその軸方向へ沿って移動可能に設けられる磁石と、
前記磁石を前記ビットの先端方向へ付勢する付勢手段とを備え、
前記付勢手段により前記磁石が前記ビットの先端よりも先端側へ突出するよう付勢されており、この付勢力に対抗して前記ビットに対して前記磁石を移動させて、前記ビットの先端が前記磁石よりも先端側へ突出可能とされる
ことを特徴とする雄ねじ探知具。
【請求項２】
前記磁石は、筒状に形成されており、前記ビットに通される
ことを特徴とする請求項１に記載の雄ねじ探知具。
【請求項３】
請求項１または請求項２に記載の雄ねじ探知具を用いた雄ねじの取り外し方法であって、
建材が基材とその表面に設けられる化粧材とを備え、
前記基材に前記雄ねじがねじ込まれ、前記雄ねじのねじ頭を隠すよう前記基材の表面に前記化粧材が設けられており、
前記雄ねじ探知具が前記ドライバーに設けられた状態で、前記磁石を前記化粧材の表面に接触させつつ前記化粧材に沿って移動させ、前記磁石の磁力により前記雄ねじの位置を検出し、その位置で前記ビットを前記雄ねじへ向けて押し込んで前記ビットの先端を前記磁石よりも突出させて、前記ねじ頭に形成されたビット係合部に前記ビットを押し当てながら係合し、前記雄ねじを緩める方向へ前記ビットを回転させることで、前記建材から前記雄ねじが取り外される
ことを特徴とする雄ねじの取り外し方法。
【発明の詳細な説明】
【技術分野】
【０００１】
本発明は、たとえば、石膏ボードへのパテ処理やクロス張りによって、石膏ボードにねじ込まれた雄ねじが視認できない場合において、雄ねじの位置を特定するための雄ねじ探知具と、この雄ねじ探知具を用いて石膏ボードから雄ねじを取り外す方法に関するものである。
【背景技術】
【０００２】
下記特許文献１には、石膏ボードやベニヤ板などからなる家屋の壁や天井などの内方に存在する下地材を検出する下地材検出具が開示されている。この下地材検出具は、ガイド体内に磁石が揺動自在に設けられており、その磁石がガイド体の外から視認可能に設けられている。従って、下地材が金属の場合には、下地材に対する磁石の磁力により磁石が前進位置することになり、検出部位の内部の金属の存在を目視確認することができる。
【０００３】
従来、石膏ボードへのパテ処理やクロス張りにより石膏ボードにねじ込まれた雄ねじが視認できない場合には、上記下地材検出具を用いて、雄ねじの位置の特定が行われていた。この位置特定は、下地材が金属であるか否かを確認する前述の場合と同様にして行われる。すなわち、雄ねじが存在する箇所では、雄ねじに対する磁石の磁力により磁石が前進位置することになり、雄ねじの存在を確認することができる。
【先行技術文献】
【特許文献】
【０００４】
【特許文献１】特開２００５−１００５１号公報
【発明の概要】
【発明が解決しようとする課題】
【０００５】
しかしながら、従来の場合、リフォーム工事などの際に石膏ボードを取り外す際には、確認された雄ねじの位置にマーキングを施し、下地材検出具をドライバーに持ち替えて、石膏ボードから雄ねじを取り外す作業を行うことになり、時間と手間がかかる。特に、石膏ボードから取り外される雄ねじの数が多い場合には、それが顕著となる。
【０００６】
本発明は、このような問題に鑑みてなされたものであり、その主たる目的は、被ねじ込み部材に雄ねじがねじ込まれ、雄ねじのねじ頭を隠すよう被ねじ込み部材の表面に被覆材が設けられている場合において、簡易な構成で容易に雄ねじの位置を確認可能とすることにあり、また、位置が確認された雄ねじを被ねじ込み部材から容易に取り外し可能とすることにある。
【課題を解決するための手段】
【０００７】
上記目的を達成するための本発明に係る雄ねじ探知具は、雄ねじの締め付けおよび緩めを行うドライバーに設けられる雄ねじ探知具であって、前記ドライバーのビットにその軸方向へ沿って移動可能に設けられる磁石と、前記磁石を前記ビットの先端方向へ付勢する付勢手段とを備え、前記付勢手段により前記磁石が前記ビットの先端よりも先端側へ突出するよう付勢されており、この付勢力に対抗して前記ビットに対して前記磁石を移動させて、前記ビットの先端が前記磁石よりも先端側へ突出可能とされることを特徴とする。
【０００８】
また、本発明に係る雄ねじ探知具は、前記磁石は、筒状に形成されており、前記ビットに通されることを特徴とする。
【０００９】
上記目的を達成するための本発明に係る雄ねじの取り外し方法は、前記雄ねじ探知具を用いた雄ねじの取り外し方法であって、建材が基材とその表面に設けられる化粧材とを備え、前記基材に前記雄ねじがねじ込まれ、前記雄ねじのねじ頭を隠すよう前記基材の表面に前記化粧材が設けられており、前記雄ねじ探知具が前記ドライバーに設けられた状態で、前記磁石を前記化粧材の表面に接触させつつ前記化粧材に沿って移動させ、前記磁石の磁力により前記雄ねじの位置を検出し、その位置で前記ビットを前記雄ねじへ向けて押し込んで前記ビットの先端を前記磁石よりも突出させて、前記ねじ頭に形成されたビット係合部に前記ビットを押し当てながら係合し、前記雄ねじを緩める方向へ前記ビットを回転させることで、前記建材から前記雄ねじが取り外されることを特徴とする。
【発明の効果】
【００１０】
本発明に係る雄ねじ探知具によれば、建材に雄ねじがねじ込まれている場合、具体的には、建材が基材とその表面に設けられる化粧材とを備え、基材に雄ねじがねじ込まれ、雄ねじのねじ頭を隠すよう基材の表面に化粧材が設けられている場合において、簡易な構成で容易に雄ねじの位置を検出することができる。これは、雄ねじ探知具がドライバーに設けられた状態において、付勢手段により磁石がドライバーのビットの先端よりも先端側へ突出するよう付勢されているので、磁石を化粧材の表面に接触させつつ化粧材に沿って移動させている際に、磁石の磁力により磁石が雄ねじに引き付けられるからである。また、検出された位置において、付勢手段の付勢力に対抗してビットの先端を磁石よりも先端側へ突出することで、雄ねじのねじ頭にビットを係合させることができる。従って、従来の場合と比較して、容易に建材から雄ねじを取り外すことができる。
【００１１】
また、本発明に係る雄ねじ探知具によれば、雄ねじの位置が特定された際に、筒状の磁石の中央部と雄ねじとを対応する位置関係とすることができる。すなわち、ビットと雄ねじとが対応する位置関係となるので、ビットを押し込むと雄ねじのねじ頭に係合することができる。このような位置関係とならない場合には、ビットが雄ねじのねじ頭に係合するまで、何度もビットを進退させることになるが、本発明ではそれを抑制することができる。
【００１２】
本発明に係る雄ねじの取り外し方法によれば、雄ねじの位置をマーキングしたり、検出具をドライバーに持ち替えたりする必要がないので、従来の場合と比較して、容易に建材から雄ねじを取り外すことができる。
【図面の簡単な説明】
【００１３】
【図１】本発明の雄ねじ探知具の一実施例の使用状態を示す側面図であり、一部を断面にして示している。
【図２】図１の雄ねじ探知具の分解斜視図である。
【図３】探知された雄ねじを抜く状態を示す側面図であり、一部を断面にして示している。
【図４】本発明の雄ねじ探知具の他の実施例を示す図であり、磁石および筒体の縦断面図である。
【発明を実施するための形態】
【００１４】
以下、本発明の具体的実施例を図面に基づいて詳細に説明する。
【００１５】
図１および図２は、本発明の雄ねじ探知具の一実施例を示す図であり、図１は使用状態を示す右側面図、図２は分解斜視図である。なお、図１においては一部を断面にして示している。本実施例の雄ねじ探知具１は、雄ねじの締め付けおよび緩めを行うドライバー２に設けられるものであり、ドライバー２のビット３にその軸方向へ沿って移動可能に設けられる磁石４と、この磁石４をドライバー２のビット３の先端側へ付勢する付勢手段５と、ドライバー２のビット３に設けられるスペーサ６とを備える。
【００１６】
本実施例では、ドライバー２として、電動ドライバーが用いられる。この電動ドライバー２は、使用者が把持するハンドル部７と、モータなどが収容される本体部８と、本体部８から前方へ突出して設けられるビット３とを備える。電動ドライバー２のハンドル部７には、モータを駆動させるスイッチであるトリガ９が設けられており、このトリガ９を引くことでビット３を回転させることができる。なお、電動ドライバー２には、雄ねじを締め付ける方向へビット３を回転させる場合と、雄ねじを緩める方向へ回転させる場合とを切り替えるスイッチが設けられている。
【００１７】
磁石４は、その形状を特に問わないが、本実施例では円筒状に形成されている。図１に示されるように、円筒状の磁石４は、その軸方向がビット３の軸方向と同様に前後方向へ沿うように配置される。磁石４は、前面がＳ極とされる一方、後面がＮ極とされている。なお、磁石４の外面には、磁石４の損傷などを抑制するために、コーティングが施される。
【００１８】
磁石４の後面には、円筒状の筒体１０が設けられる。この筒体１０は、その軸方向が前後方向へ沿って配置され、前端部が磁石４の後端部に接着剤などで固定される。この際、筒体１０の内穴１１と磁石４の内穴１２とは、互いに連通される。
【００１９】
付勢手段５は、ビット３に設けられた磁石４を前方へ付勢する手段であり、本実施例ではコイルバネとされる。このコイルバネ５は、その軸方向が前後方向へ沿って配置され、後述するように内部に電動ドライバー２のビット３が通される。
【００２０】
スペーサ６は、第一スペーサ１３と第二スペーサ１４とを有して構成されており、両者は筒状に形成されている。第一スペーサ１３は、円筒状とされ、その軸方向が前後方向へ沿って配置される。第二スペーサ１４は、円筒状とされ、軸方向の長さが第一スペーサ１３よりも長く形成されている。第二スペーサ１４は、その軸方向が前後方向へ沿って配置されると共に、第一スペーサ１３の前方に配置される。第二スペーサ１４の前端部には、径方向外側へ延出してツバ部１５が形成されている。
【００２１】
図１に示されるように、電動ドライバー２のビット３には、その基端側から順に、第一スペーサ１３、第二スペーサ１４、コイルバネ５、および磁石４が設けられる。具体的には、まず、第一スペーサ１３がビット３の外周にはめ込まれる。この際、第一スペーサ１３は、ビット３の基端部に配置される。第一スペーサ１３の取付後に、第二スペーサ１４が、前方にツバ部１５が配置されるようにビット３の外周にはめ込まれる。そして、コイルバネ５がビット３に通される。この際、コイルバネ５と第二スペーサ１４とは、アタッチメントなどを介して着脱可能とされたり、テープで固定されたりする。
【００２２】
最後に、筒体１０が取り付けられた磁石４がビット３に通される。この際、磁石４が前方に配置される一方、筒体１０が後方に配置される。後方に配置された筒体１０の外周には、コイルバネ５の前端部がはめ込まれる。また、コイルバネ５の前端部は、磁石４の後面に接触される。一方、コイルバネ５の後端部は、第二スペーサ１４のツバ部１５の前面に接触される。このようにして、本実施例の雄ねじ探知具１は、電動ドライバー２に着脱可能に取り付けられ、取付状態では、コイルバネ５により磁石４がビット３の先端よりも先端側へ突出するように付勢されている。なお、コイルバネ５の付勢力に対抗するようビット３に対して磁石４を基端側へ移動させることで、ビット３の先端を磁石４よりも先端側へ突出することができる。
【００２３】
次に、本実施例の雄ねじ探知具１を用いた雄ねじの取り外し方法について説明する。図３は、本実施例の雄ねじ探知具を用いて探知された雄ねじを抜く状態を示す右側面図であり、一部を断面にして示している。この図に示されるように、雄ねじ１６は、建材１７にねじ込まれている。より具体的には、建材１７を構造躯体である柱材１８に固定するねじとされる。
【００２４】
本実施例の建材１７は、板状の基材１９と、この基材１９の表面に設けられる化粧材２１とを備えて構成される。なお、化粧材２１は、基材１９の表面に生じる不陸をなくすためのパテ処理が施されたパテ処理部２０の形成後に、基材１９の表面に貼り付けられる。建材１７を設置する場合、基材１９に柱材１８に到達するよう雄ねじ１６がねじ込まれ、この際に雄ねじ１６が基材１９にめり込んで凹部が形成される。この凹部にパテ処理が施されてパテ処理部２０が形成されると共に、他の不陸部分にもパテ処理が施される。そして、雄ねじ１６のねじ頭２２を隠すようにして、基材１９の表面に化粧材２１が貼り付けられる。従って、雄ねじ１６を視認することができず、雄ねじ１６の位置が分からない状態とされている。
【００２５】
この場合、雄ねじ探知具１が前述したように電動ドライバー２に設けられた状態において、ビット３よりも先端側へ突出した磁石４を化粧材２１の表面に接触させつつ化粧材２１に沿って移動させて、磁石４の磁力により雄ねじ１６の位置を検出する。この位置検出は、雄ねじ１６と磁石４とが磁石４の磁力により引き合うことで、雄ねじ１６がねじ込まれている箇所に磁石４が導かれることでなされる。そして、その検出された位置において、磁石４が化粧材２１に接触した状態で、ビット３がコイルバネ５の付勢力に対抗して雄ねじ１６へ向けて押し込まれることで、ビット３の先端が、磁石４よりも先端側へ突出され、化粧材２１およびパテ処理部２０を貫通して雄ねじ１６に到達する。
【００２６】
ビット３が雄ねじ１６に到達後、ビット３が雄ねじ１６のねじ頭２２に形成されたビット係合部に押し当てられながら係合され、雄ねじ１６を緩める方向へビット３を回転させることで、建材１７から雄ねじ１６が取り外される。なお、本実施例では、雄ねじ１６は、ねじ頭２２にビット係合部である十字溝が形成されている。
【００２７】
本実施例の場合、雄ねじ１６が視認できない状態で建材１７にねじ込まれている際に、磁石４を化粧材２１に接触させつつ移動させるだけで、雄ねじ１６の位置を容易に検出することができる。また、本実施例の場合、磁石４がビット３の先端よりも突出しているので、磁石４を化粧材２１に沿って移動させる際に、ビット３の先端が化粧材２１に引っ掛かるおそれがなく、磁石４をスムーズに移動させることができる。また、本実施例の場合、雄ねじ１６の位置を検出後、そのままビット３を押し込むことで、建材１７から雄ねじ１６を取り外すことができるので、容易に建材１７から雄ねじ１６を取り外すことができる。このようにして本実施例では、雄ねじ探知具１と電動ドライバー２とが一体化されているので、検出具から電動ドライバーに持ち替える手間を省くことができ、たとえばリフォーム時の解体作業の作業性を向上させることができる。
【００２８】
また、本実施例の場合、円筒状の磁石４がビット３に通されるので、雄ねじ１６の位置が検出された際に、円筒状の磁石４の中央部と雄ねじ１６とを対応する位置関係、言い換えれば、ビット３と雄ねじ１６とを対応する位置関係とすることができる。従って、ビット３を雄ねじ１６へ向けて押し込むことで、ビット３を雄ねじ１６に容易に係合させることができる。従来では、検出した箇所にマーキングし、そのマーキングした領域に適当にビスを貫通させていたので、ビットが雄ねじ１６のねじ頭２２に係合するまで、何度もビットを貫通させなければならないおそれがあり、手間がかかっていた。さらに、本実施例の場合、電動ドライバー２に対して雄ねじ探知具１が着脱可能とされているので、本実施例の雄ねじ探知具１を既存の電動ドライバー２に容易に適用することができる。
【００２９】
本発明は、前記実施例の構成に限らず、適宜変更可能である。たとえば、磁石４の構成は、前記実施例に限定されるものではない。図４は、本発明の雄ねじ探知具の他の実施例を示す図であり、磁石とそれに設けられる筒体の縦断面図である。図４に示す実施例の雄ねじ探知具も、基本的には図１から図３に示す雄ねじ探知具１と同様である。そこで、以下においては、両者の異なる点を中心に説明し、対応する箇所には同一の符号を付して説明する。
【００３０】
図４に示す実施例では、磁石４と共にヨーク２３が用いられる。このヨーク２３は、筒状の差込部２４と、差込部２４にツバ状に設けられる固定部２５とを備えて構成される。差込部２４は、円筒状に形成されており、その軸方向が前後方向へ沿って配置される。固定部２５は、差込部２４の後端部に径方向外側へツバ状に延出して設けられる。固定部２５の外形は、円形状とされている。図４に示されるように、磁石４は、Ｎ極である後面がヨーク２３の固定部２５の前面に固定される。この際、磁石４の内穴１２には、ヨーク２３の差込部２４が通されており、磁石４の内周面と差込部２４の外周面との間に円筒状の隙間２６が形成される。なお、ヨーク２３は、鉄や鋼などから形成されている。ところで、筒体１０は、その前端部がヨーク２３の固定部２５の後面に固定される。この際、差込部２４の内穴２７と筒体１０の内穴１１とは、互いに連通される。
【００３１】
図４に示す実施例の場合、磁石４の内穴１２に差込部２４が通された状態で、磁石４が固定部２５に固定されるので、磁石４の中央に位置する差込部２４の前端部に磁束を集中させることができる。これにより、磁石４の中央部でより確実に雄ねじ１６の検出を行うことができる。従って、雄ねじ１６の位置検出時において、磁石４の磁力により雄ねじ１６がねじ込まれている箇所に磁石４が導かれた際、より確実に雄ねじ１６と磁石４の中央部とが対応する位置関係とすることができる。
【００３２】
また、前記各実施例において、磁石４の厚さを増加させたり、磁石４を軸方向へ沿って複数重ねたりすることで、磁力を強くすることができる。これにより、雄ねじ１６の検出をより容易にかつ確実に行うことができる。
【産業上の利用可能性】
【００３３】
本発明は、リフォーム工事などにおいて建材である石膏ボードを剥がす作業を行う際に好適に適用される。
【符号の説明】
【００３４】
１  雄ねじ探知具
２  電動ドライバー（ドライバー）
３  ビット
４  磁石
５  コイルバネ（付勢手段）
１６  雄ねじ
１７  建材
１９  基材
２１  化粧材
２２  ねじ頭
【図１】
2018015822.tif 000003
【図２】
2018015822.tif 000004
【図３】
2018015822.tif 000005
【図４】
2018015822.tif 000006